【事件の表示】
　特許第２８４９３７２号「洗濯機」の特許に対する特許異議の申立てについて、次のとおり決定する。
【結　論】
　訂正を認める。
　特許第２８４９３７２号の特許を維持する。
【理　由】
（１）手続の経緯
　
　特許第２８４９３７２号に係る発明についての出願は、平成６年８月３１日に出願された特願平６−２０６８９６号の一部を平成９年２月３日に新たな特許出願である特願平９−２０７７３号とし、平成１０年１１月６日に設定登録され、その後、株式会社東芝及び花井恭子よりそれぞれ特許異議の申立がなされ、取消理由通知がなされ、その後再度の取消理由通知がなされ、その指定期間内である平成１２年３月２２日に訂正請求がなされたものである。
　
（２）訂正の適否についての判断
　
ア．訂正の内容
　特許権者が求めている訂正の内容は、以下のａ）及びｂ）のとおりである。
ａ）明細書の特許請求の範囲の請求項１を以下のように訂正する。
「【請求項１】外枠の内側に置かれる洗濯槽、この洗濯槽の内側に回転自在に設けられる回転翼と、洗濯槽の下方に備えられ、かつ前記回転翼を回転駆動する洗濯用モータと、外枠の上側に設けられ、かつ水道水給水用電磁弁が備わるトップカバーと、風呂水吸水ホースを通じて吸い上げる風呂水を洗濯槽の上から洗濯槽内に注ぐモータ式吸水ポンプと、トップカバーの後ろ側に設けられ、かつ前記水道水給水用電磁弁より供給される水道水および前記モータ式吸水ポンプから吐出する風呂水が流れ込む壁面で囲まれた空間部とこの空間部に流れ込む洗濯用の水を洗濯槽内に注ぐ注水口とが形成されている注水部とを有する洗濯機であって、
　ポンプランナ、このポンプランナの吐出側が連通する気水分離室を兼ねる吐出室、および前記ポンプランナの吸込み側に連通する吸水室を備えるポンプ部と、ポンプランナを回転駆動するモータ部とを有し、かつポンプ部をモータ部の長手方向端側に配置しているモータ式吸水ポンプは、
　トップカバーの後ろ側に横置きに、
　かつ前記吸水室に連通するように形成される風呂水吸水口のホース接続口が前記トップカバーの上方に向かって上向きになるように配置し、
前記吐出室の吐出口と前記注水部を連通する吐出水連通路を備え、
　前記注水部をトップカバーの後ろ側中央に配置し、注水部の両隣に前記水道水給水用電磁弁と前記モータ式吸水ポンプをポンプ部を注水部に向けて振り分けて配置し、
　前記モータ式吸水ポンプ及び水道水給水用電磁弁の設置面より上で前記注水部に前記水道水給水用電磁弁の下流口側から出た給水通路と前記モータ式吸水ポンプの吐出水連通路が接続されていることを特徴とする洗濯機。」
ｂ）明細書の段落【００１２】の記載を次のように訂正する。
「【００１２】
　　【課題を解決するための手段】
　前記目的を達成するため、本発明は、外枠の内側に置かれる洗濯槽、この洗濯槽の内側に回転自在に設けられる回転翼と、洗濯槽の下方に備えられ、かつ前記回転翼を回転駆動する洗濯用モータと、外枠の上側に設けられ、かつ水道水給水用電磁弁が備わるトップカバーと、風呂水吸水ホースを通じて吸い上げる風呂水を洗濯槽の上から洗濯槽内に注ぐモータ式吸水ポンプと、トップカバーの後ろ側に設けられ、かつ前記水道水給水用電磁弁より供給される水道水および前記モータ式吸水ポンプから吐出する風呂水が流れ込む壁面で囲まれた空間部とこの空間部に流れ込む洗濯用の水を洗濯槽内に注ぐ注水□とが形成されている注水部とを有する洗濯機であって、ポンプランナ、このポンプランナの吐出側が連通する気水分離室を兼ねる吐出室、および前記ポンプランナの吸込み側に連通する吸水室を備えるポンプ部と、ポンプランナを回転駆動するモータ部とを有し、かつポンプ部をモータ部の長手方向端側に配置しているモータ式吸水ポンプは、トップカバーの後ろ側に横置きに、かつ前記吸水室に連通するように形成される風呂水吸水口のホース接続口が前記トップカバーの上方に向かって上向きになるように配置し、前記吐出室の吐出口と前記注水部を連通する吐出水連通路を備え、前記注水部をトップカバーの後ろ側中央に配置し、注水部の両隣に前記水道水給水用電磁弁と前記モータ式吸水ポンプをポンプ部を注水部に向けて振り分けて配置し、前記モータ式吸水ポンプ及び水道水給水用電磁弁の設置面より上で前記注水部に前記水道水給水用電磁弁の下流口側から出た給水通路と前記モータ式吸水ポンプの吐出水連通路が接続されていることを特徴とするものである。」
　
イ．訂正の目的の適否、新規事項の有無及び拡張・変更の存否
　上記ａ）の訂正事項のうち、「かつ前記水道水給水用電磁弁より供給される水道水および前記モータ式吸水ポンプから吐出する風呂水が流れ込む壁面で囲まれた空間部とこの空間部に流れ込む洗濯用の水を洗濯槽内に注ぐ注水口とが形成されている注水部」の訂正は、明細書の段落【００１２】，【００２６】，【００２７】及び第２図の記載に基づき「注水部」の概念を明りょうにするためのものである。
  また、「前記注水部」の訂正は、「前記注水口部」という誤記を訂正するものである。
  また、「前記注水部をトップカバーの後ろ側中央に配置し」の訂正は、明細書の段落【００１２】，【００２６】の記載に基づき「注水部」の配置個所を明りょうにするためのものである。
  また、「注水部の両隣に前記水道水給水用電磁弁と前記モータ式吸水ポンプをポンプ部を注水部に向けて振り分けて配置し」の訂正は、明細書の段落【００４４】及び第２図の記載に基づき、許請求の範囲を減縮するものである。
  さらに、「前記モータ式吸水ポンプ及び水道水給水用電磁弁の設置面より上で前記注水部に前記水道水給水用電磁弁の下流口側から出た給水通路と前記モータ式吸水ポンプの吐出水連通路が接続されている」の訂正は、明細書の段落【００１２】，【００２６】，【００２７】及び第１，２図の記載に基づき、許請求の範囲を減縮するものである。
　よって、上記ａ）の訂正は新規事項の追加に該当しない。
　次に、上記ｂ）の訂正は、上記ａ）の訂正に整合させるためになされたものであり、誤記の訂正及び明りょうでない記載の釈明に相当し、新規事項の追加に該当しない。
　そして、上記ａ）、ｂ）のいずれの訂正も実質上特許請求の範囲を拡張又は変更するものでもない。
　
ウ．独立特許要件の判断
　訂正明細書の請求項１に係る発明を、以下、本件発明という。
　これに対して、当審が通知した取消理由で引用した刊行物１（特開昭５７−１９２５９５号公報）には、全自動洗濯機に関するものであって、その第３図には、浴槽水等の水圧のない水源から自動的に給水することのできるポンプ２０から構成される給水装置について、一方、第４図には、給水装置として、水道による給水を行なう電磁給水弁６と前記した水圧のない水源から給水するポンプ２０の双方から給水が可能な構成について開示されており、本体１の内側に置かれる洗濯脱水槽１１、洗濯脱水槽１１の内側に回転自在に設けられるパルセータ１２、洗濯脱水槽１１の下方に備えられ、かつ前記パルセータ１２を回転駆動するモータ１４、本体１の上側に設けられ、かつ水道水給水用電磁給水弁６が備わる天板２、風呂水吸水ホース（図示なし）を通じて吸い上げる風呂水を洗濯脱水槽１１の上から洗濯脱水槽１１内に注ぐポンプ２０、天板２の後ろ側に設けられ、かつ洗濯用の水を洗濯脱水槽１１内に注ぐ注水口９，９’が形成されている注水部とを有する洗濯機であると共に、該ポンプ２０に関し、天板２の後ろ側に、ポンプを示す直方体の縦横比から見て明らかに横置きに設置され、ポンプ２０に連通するように形成される吸込口２１が天板２の上方に向かって上向きになるように配置され、吐出口２２と注水口９’とを連通するポンプ用注水管８’を有し、天板２の後ろ側にポンプ２０等を覆い隠す着脱自在な操作板４を設け、この操作板４の上端に吸込口２１の上端を臨ませた構成が開示されている（第２頁左下欄第１５行〜第３頁右上欄第７行、第１図、第３図及び第４図）。
  また、同刊行物２（特開平２−７５７９２号公報）には、電気ポンプに関するものであって、ケーシングカバー１２の上端に外部に開放する吐出口１４を設けたポンプ部５と、このポンプ部５の羽根車８に連結される駆動モータ２により構成されるモータ部１から成り、そのポンプ部５には吸引時にポンプ部内で気水分離された空気のみを大気に放出する空気抜き弁１９を配設することにより、ポンプ室内の空気を空気抜き弁１９を経由して大気に無理なくスムーズに放出することができ、もってポンプの吐出圧を高めることができ、水を順調に循環させることができるものであり、さらに、ポンプ室内において残存する空気を気水分離できるように構成し、羽根車８の吐出側が連通する気水分離室を兼ねるポンプ室、および羽根車８の吸込み側に連通する吸引通路１５を備えるポンプ部５と、羽根車８を回転駆動するモータ部１を各長手方向に配置して有するものが開示されている（第２頁右下欄第８行〜第３頁左上欄第１行、第１図乃至第３図）。
  また、同刊行物３（特開平４−２２０２９６号公報）には、湯水混合式洗濯機に関するものであって、それぞれの給水弁を通過した水と湯は、洗剤入れケースの水側給水口１８と湯側給水口１９から流入し、さらに、洗剤入れケース上部２０に流入し、流入した水と湯は、洗剤入れケース上部２０と洗剤投入部２２を隔てた壁２３にあげられた複数の孔２４から洗剤投入部に噴射し、そこで水と湯が混合した後に水槽内に供給されるというものが開示されている（第３頁左欄段落【００１９】、第２図及び第４図）。
  また、同刊行物４（特開昭６０−４５７９０号公報）には、自吸式ポンプに関するものであって、ポンプランナ４、このポンプランナの吐出側が連通する気水分離室を兼ねる吐出室６、および前記ポンプランナの吸込み側に連通する吸水室を備えるポンプ部（ケーシング１）と、ポンプランナ４を回転駆動するモータ部１５と、吸水室に連通する吸水口９を有し、かつポンプ部をモータ部の端側に結合配置しているモータ式吸水ポンプ（ポンプ本体）が開示されている。
  また、同刊行物５（特開昭５７−６９８９６号公報）には、自動洗濯機の給水装置に関するものであって、後ろ側中央に配置した注水部は洗濯槽１２の上部開口端近傍に配設した給水口１４で、給水電磁弁７および給水パイプ１１の出口側がそれぞれ連通しているものが開示されている。
（対比・判断）
　本件発明と上記刊行物１乃至５に記載の発明とを対比すると、上記各刊行物に記載の発明は、本件発明を特定する事項である、「水道水給水用電磁弁より供給される水道水およびモータ式吸水ポンプから吐出する風呂水が流れ込む壁面で囲まれた空間部とこの空間部に流れ込む洗濯用の水を洗濯槽内に注ぐ注水口とが形成されている注水部」と「注水部の両隣に水道水給水用電磁弁とモータ式吸水ポンプを振り分けて配置」した構成を備えていない。
　そして、かかる事項により本件発明は、トップカバーの収納部が収納深さの浅い狭い空間になっているにもかかわらず、比較的スペース的な余裕をもって配置することができ、共用の注水部を中央部に置くことができるという顕著な効果を奏するものである。
  確かに、上記刊行物１には、水道水給水用電磁弁とモータ式吸水ポンプをトップカバーの後ろ側に設けたものが開示されているが、注水部は、水道水給水用電磁弁用とモータ式吸水ポンプ用とが別々に設けられており、しかも、注水部の両隣に水道水給水用電磁弁とモータ式吸水ポンプを振り分けて配置したものではない。
  また、上記刊行物３及び５には、共用の注水部を設けたものが開示されているが、これらのものは、トップカバーの後ろ側にモータ式吸水ポンプを有しておらず、トップカバーの収納部の有効利用を図るものとはなっていない。
  そうすると、本件発明が上記各刊行物に記載のものから容易に発明をすることができたものとは到底いえない。
　したがって、本件発明は特許出願の際独立して特許を受けることができるものである。
エ．むすび
　以上のとおりであるから、上記訂正は、特許法第１２０条の４第２項及び同条第３項で準用する同法第１２６条第２−４項の規定に適合するので、当該訂正を認める。
　
（３）特許異議の申立てについての判断
　
ア．申立ての概要
　申立人株式会社東芝は、証拠として甲第１号証（取消理由通知で示した刊行物１）、甲第２号証（同刊行物２）及び甲第３号証（同刊行物３）を提出し、本件発明は甲第１乃至３号証に記載の発明に基づいて当業者が容易に発明をすることができたものであるから特許法第２９条第２項の規定に該当し、本件発明に係る特許は同法第１１３条第１項第２号の規定により取消されるべきものである旨主張している（以下、「理由１」という。）。
　また、申立人花井恭子は、本件特許は、願書に最初に添付した明細書又は図面に記載した事項の範囲内にない補正をした特許出願に対してなされたものであるから、特許法第１７条の２第３項の規定に反し、特許法第１１３条第１項第１号の規定により取消されるべきものである旨主張する（以下、「理由２」という。）と共に、証拠として甲第１号証（取消理由通知で示した刊行物１）、甲第２号証（同刊行物４）及び甲第３号証（同刊行物５）を提出し、本件発明は甲第１乃至３号証に記載の発明に基づいて当業者が容易に発明をすることができたものであるから特許法第２９条第２項の規定に該当し、本件発明に係る特許は同法第１１３条第１項第２号の規定により取消されるべきものである旨主張している（以下、「理由３」という。）。
　
イ．判断
Ａ）理由１及び３について
  本件発明は、上記（２）ウ．の項で述べたように、取消理由通知で示した刊行物に記載された発明であるとも、これらから容易に推考しうるものでもない。
Ｂ）理由２について
  次に、本件に係る補正が特許法第１７条の２第３項の規定に反するか否かについて以下検討する。
（ｉ）特許請求の範囲の補正
　申立人は、「ポンプ部をモータ部の長手方向端側に配置しているモータ式吸水ポンプ」における「長手方向端側」および「モータ式吸水ポンプ」と言う表現、及び、「トップカバーの後ろ側に横置きに」と言う表現は、出願時の明細書及び図面から直接かつ一義的に導き出された表現ではない旨主張しているが、上記の各表現は出願時の第１図乃至第４図とその説明箇所から充分に把握しうる範囲のものである。
（ii）発明の詳細な説明の補正
  申立人は、補正された発明の目的、作用及び効果の補正は、出願時の明細書または図面には全く記載されておらず、直接かつ一義的に導かれた表現とは言えない旨主張しているが、補正された発明の目的、作用及び効果は、全て、出願時の明細書または図面の記載に基づいて合理的に把握しうるものにすぎない。
  このように、本件に係る補正は、願書に最初に添付した明細書又は図面に記載した範囲内のものであり、特許法第１７条の２第３項の規定に反するとは言えない。
　
ウ．むすび
　以上のとおりであって、特許異議申立の理由及び証拠によっては本件発明についての特許を取り消すことはできない。
　また、他に本件発明についての特許を取り消すべき理由を発見しない。
　よって、結論のとおり決定する。
【異議決定日】
平成１２年３月３１日（２０００．３．３１）
【訂正の要旨】
訂正の要旨
ａ）明細書の特許請求の範囲の請求項１を以下のように訂正する。
「【請求項１】外枠の内側に置かれる洗濯槽、この洗濯槽の内側に回転自在に設けられる回転翼と、洗濯槽の下方に備えられ、かつ前記回転翼を回転駆動する洗濯用モータと、外枠の上側に設けられ、かつ水道水給水用電磁弁が備わるトップカバーと、風呂水吸水ホースを通じて吸い上げる風呂水を洗濯槽の上から洗濯槽内に注ぐモータ式吸水ポンプと、トップカバーの後ろ側に設けられ、かつ
前記水道水給水用電磁弁より供給される水道水および前記モータ式吸水ポンプから吐出する風呂水が流れ込む壁面で囲まれた空間部とこの空間部に流れ込む
と
　ポンプランナ、このポンプランナの吐出側が連通する気水分離室を兼ねる吐出室、および前記ポンプランナの吸込み側に連通する吸水室を備えるポンプ部と、ポンプランナを回転駆動するモータ部とを有し、かつポンプ部をモータ部の長手方向端側に配置しているモータ式吸水ポンプは、
　トップカバーの後ろ側に横置きに、
　かつ前記吸水室に連通するように形成される風呂水吸水口のホース接続口が前記トップカバーの上方に向かって上向きになるように配置し、
前記吐出室の吐出口と前記注
水部
　前記注水部を
トップカバーの
ポンプ部を注水部に向けて
　
前記モータ式吸水ポンプ及び水道水給水用電磁弁の設置面より上で前記注水部に前記水道水給水用電磁弁の下流口側から出た給水通路と前記モータ式吸水ポンプの吐出水連通路が接続されている
ｂ）明細書の段落【００１２】の記載を次のように訂正する。
「【００１２】
　　【課題を解決するための手段１
　前記目的を達成するため、本発明は、外枠の内側に置かれる洗濯槽、この洗濯槽の内側に回転自在に設けられる回転翼と、洗濯槽の下方に備えられ、かつ前記回転翼を回転駆動する洗濯用モータと、外枠の上側に設けられ、かつ水道水給水用電磁弁が備わるトップカバーと、風呂水吸水ホースを通じて吸い上げる風呂水を洗濯槽の上から洗濯槽内に注ぐモータ式吸水ポンプと、トップカバーの後ろ側に設けられ、かつ
前記水道水給水用電磁弁より供給される水道水および前記モータ式吸水ポンプから吐出する風呂水が流れ込む壁面で囲まれた空間部とこの空間部に流れ込む
と
水部
トップカバーの
ポンプ部を注水部に向けて
前記モータ式吸水ポンプ及び水道水給水用電磁弁の設置面より上で前記注水部に前記水道水給水用電磁弁の下流口側から出た給水通路と前記モータ式吸水ポンプの吐出水連通路が接続されている
（５４）【発明の名称】
洗濯機
（５７）【特許請求の範囲】
　【請求項１】　外枠の内側に置かれる洗濯槽、この洗濯槽の内側に回転自在に設けられる回転翼と、洗濯槽の下方に備えられ、かつ前記回転翼を回転駆動する洗濯用モータと、外枠の上側に設けられ、かつ水道水給水用電磁弁が備わるトップカバーと、風呂水吸水ホースを通じて吸い上げる風呂水を洗濯槽の上から洗濯槽内に注ぐモータ式吸水ポンプと、トップカバーの後ろ側に設けられ、かつ
前記水道水給水用電磁弁より供給される水道水および前記モータ式吸水ポンプから吐出する風呂水が流れ込む壁面で囲まれた空間部とこの空間部に流れ込む
と
　ポンプランナ、このポンプランナの吐出側が連通する気水分離室を兼ねる吐出室、および前記ポンプランナの吸込み側に連通する吸水室を備えるポンプ部と、ポンプランナを回転駆動するモータ部とを有し、かつポンプ部をモータ部の長手方向端側に配置しているモータ式吸水ポンプは、
　トップカバーの後ろ側に横置きに、
　かつ前記吸水室に連通するように形成される風呂水吸水口のホース接続口が前記トップカバーの上方に向かって上向きになるように配置し、
　前記吐出室の吐出口と前記注
水部
　前記注水部を
トップカバーの
ポンプ部を注水部に向けて
　
前記モータ式吸水ポンプ及び水道水給水用電磁弁の設置面より上で前記注水部に前記水道水給水用電磁弁の下流口側から出た給水通路と前記モータ式吸水ポンプの吐出水連通路が接続されている
【発明の詳細な説明】
　　【０００１】
　【発明の属する技術分野】
　本発明は洗濯機、さらに詳細には、風呂水吸水ポンプを備える洗濯機に関する。
　　【０００２】
　【従来の技術】
　風呂の残り湯を洗濯水に利用して水道水の節水を図ることが従来からおこなわれている。
　　【０００３】
　そして、その使用形態の一例として、投げ込み式の風呂水吸水ポンプを浴槽内に入れ、このポンプを介して浴槽内の水を洗濯槽内に吸水するタイプのものがある。
　　【０００４】
　また、他の使用形態として、洗濯機に風呂水吸水ポンプを内蔵し、このポンプを介して浴槽内の水を洗濯槽内に吸水するタイプのものもある。
　　【０００５】
　なお、洗濯機に風呂水吸水ポンプを内蔵し、このポンプを介して浴槽内の水を洗濯槽内に吸水する先行技術としては、例えば特開昭５７−１１７８９４号，特開昭５７−１１７８９５号，特開平６−２３１９０号公報等を挙げることができる。
　　【０００６】
　【発明が解決しようとする課題】
　しかし、投げ込み式の風呂水吸水ポンプを利用する場合は、ホースとリード線とが絡み合い、作業性，収納性共に悪いと云う点で難点がある。
　　【０００７】
　一方、洗濯機に風呂水吸水ポンプを内蔵するタイプのものは、従来一般に、洗濯機の下方にポンプを設置するようにしており、呼び水タンクを必要とするばかりでなく、洗濯機下方のポンプから洗濯槽開口部に至る配管長も長くなり、その分コストアップの原因となる。
　　【０００８】
　なお、前掲特開昭５７−１１７８９４号および同第５７−１１７８９５号公報には、呼び水タンクを不要とした風呂水吸水ポンプ付の洗濯機が提案されているが、その場合であってもポンプは洗濯機の下方に設けられている。
　　【０００９】
　また、前掲特開平６−２３１９０号公報にも呼び水タンクを不要とした風呂水吸水ポンプ付の洗濯機が提案されている。
　　【００１０】
　しかし、同公報には、非常に簡略化された図が掲載されているのみであって、またその文中にもポンプが洗濯機のどの部分に組み込まれているかの具体的説明がない。
　　【００１１】
　本発明の目的は、大量の呼び水量を呼び水タンクに蓄えておかなければならない自動呼び水式ポンプに代えて、トップカバーの後ろ側の狭い空間に納めることができ、さらに洗濯機のコンパクト化、組立作業の簡便化、設置スペースの小スペース化を図ることのできる風呂水吸水ポンプを搭載した改良された洗濯機を提供することにある。
　　【００１２】
　【課題を解決するための手段】
　前記目的を達成するため、本発明は、外枠の内側に置かれる洗濯槽、この洗濯槽の内側に回転自在に設けられる回転翼と、洗濯槽の下方に備えられ、かつ前記回転翼を回転駆動する洗濯用モータと、外枠の上側に設けられ、かつ水道水給水用電磁弁が備わるトップカバーと、風呂水吸水ホースを通じて吸い上げる風呂水を洗濯槽の上から洗濯槽内に注ぐモータ式吸水ポンプと、トップカバーの後ろ側に設けられ、かつ
前記水道水給水用電磁弁より供給される水道水および前記モータ式吸水ポンプから吐出する風呂水が流れ込む壁面で囲まれた空間部とこの空間部に流れ込む
と
水部
トップカバー
ポンプ部を注水部に向けて
前記モータ式吸水ポンプ及び水道水給水用電磁弁の設置面より上で前記注水部に前記水道水給水用電磁弁の下流口側から出た給水通路と前記モータ式吸水ポンプの吐出水連通路が接続されている
　　【００１３】
　【発明の実施の形態】
　以下、本発明を、図面の一実施例にもとづいて説明すると、図１において、１は洗濯機のトップカバー、２は洗濯機の運転を制御するコントローラで、コントローラ２は、トップカバー１の前方に内蔵され、タイマーを含むマイクロコンピュータ等で構成されている。
　　【００１４】
　３は洗濯機の運転内容を作業者が外部から指示するメンブレンスイッチである。
　　【００１５】
　４は蓋で、支点５を軸にして上方に開く。
　　【００１６】
　６は洗濯物投入口、７は洗濯兼脱水槽（以下、洗濯槽と略称する）８と外槽９との間に洗濯物が落下するのを防止するカバーで、外槽９の上部に設けられている。
　　【００１７】
　１０は洗濯槽８の壁面に穿設された脱水孔である。
　　【００１８】
　１１はバランスリングで、脱水運転時洗濯槽８の回転を円滑におこなう。
　　【００１９】
　１２は吊り棒で、バネ１３を介して外槽９を懸垂する。
　　【００２０】
　１４は撹拌翼で、洗濯槽８の底部に設置される。
　　【００２１】
　１５はモータで、モータ１５の動力をモータプーリ１６，ベルト１７，従動プーリ１８，クラッチ・減速部１９を介して、洗濯，すすぎ時には撹拌翼１４を、また脱水時には洗濯槽８と撹拌翼１４とを共に駆動する。
　　【００２２】
　２０は外枠２１を支承する脚部、２２は外槽９の底部に設けた排水孔で、排水孔２２の下流側には、コントローラ２からの指令で開閉する排水電磁弁２３と排水ホース２４とを有する。
　　【００２３】
　２５はバックパネルである。
　　【００２４】
　２６はケーシングを抗菌剤入りの合成樹脂で成形した、風呂水を洗濯槽８の上から洗濯槽８内に注ぐ風呂水吸水ポンプ（モータ式自動吸水ポンプ）で、トップカバー１に内蔵されている。
　　【００２５】
　２７は抗菌剤入りの風呂水吸水ホースで、その後端はＯリング２８を介してポンプ２６の上面に設けた風呂水吸水口２６ａに装着される。
　　【００２６】
　図１に符号２５で示すバックパネルを取り除いてトップカバー１の内部構造を示す図２において、１ａはトップカバー１に設けた、水道水を洗濯槽内に供給する注水口と風呂水吐出口とを共用化した水道水注水口兼風呂水吐出口で、この水道水注水口兼風呂水吐出口１ａからはソフナーも投入される。
　　【００２７】
　４が蓋、２６がポンプ、２６ａが風呂水吸水口、２６ｂは風呂水吐出管、２９は蓋スイッチ、３０は水道水蛇口、３１は水道水を洗濯槽８内に供給する給水用電磁弁である。
　　【００２８】
　図２のトップカバー１にバックパネル２５を取り付けてＸ−Ｘ方向から見た図３において、１がトップカバー、２５がバックパネル、２６がポンプ、２６ａがポンプ２６の風呂水吸水口、２５ａはバックパネル２５のハブを示し、ポンプ２６は防振ゴム３２を介し、トップカバー１とバックパネル２５間に挟み込まれており、トップカバー１とバックパネル２５とは、バックパネル２５に設けた爪をトップカバー１の係合部に引っ掛け、図示を省略したネジによって固定される。
　　【００２９】
　モータ式自動吸水ポンプ２６の内部構造を示す図４において、２６ａがポンプ２６の風呂水吸水口、２６ｂが風呂水吐出管、２６ｃはケーシング、２６ｄはポンプ駆動用モータ、２６ｅはうンナ、２６ｆはメカニカルシール、２６ｇは吸水室、２６ｈは気水分離室、２６ｉは仕切板を示し、ポンプ２６の上面に設けた風呂水吸水口２６ａを呼び水給水口として兼用している。
　　【００３０】
　２６ｊは風呂水吸水口２６ａの出口に設けた逆止弁を示しており、なお風呂水吸水口２６ａの上端面は、風呂水吐出口２６ｋの下面よりも上位としてある。
　　【００３１】
　そして、ポンプ２６の吸水室２６ｇに吸水された風呂水は、従来のこの種ポンプと同様の送水方法によりうンナ２６ｅを介して気水分離室２６ｈに送られ、気水分離室２６ｈに送られた風呂水は、その後、風呂水吐出管２６ｂを介して洗濯槽８内に供給される。
　　【００３２】
　トップカバー１に設けられた操作パネルを示す図５において、３３は電源スイッチ、３４は水道水スタート・一時停止ボタン、３５は風呂水スタート・一時停止ボタン、３６は節水量目安表示部で、本実施例においては、風呂水使用、節水すすぎ等、通常の運転と比較して節水できる工程を実施した場合にその節水量を、電源スイッチ３３の投入時に例えばキロリットル単位で節水量目安表示部３６に表示する。
　　【００３３】
　なお、この表示は、表示部３６のカウンタがオーバーフローするとゼロクリアされ、再びカウントを開始する。
　　【００３４】
　図６は図１に示す洗濯機の電気回路図、図７は同じく図１に示す洗濯機の動作フローチャートで、図５の電源スイッチ３３を入れ（図７のステップ１０１）、風呂水スタート・一時停止ボタン３５を押して風呂水コースをスタートさせる（ステップ１０２）。
　　【００３５】
　そして、最初にポンプ駆動用モータ電流１ｐが１アンペア以上であるか否かを検出し（ステップ１０３）、１アンペア以上であればロック電流が流れたと云うことでポンプモータをオフし、水道水の給水用電磁弁３１をオンし（ステップ１０４）、１５秒間合成音あるいは合成音と文字との併用等適宜の手段によって異常報知をおこない（ステップ１０５）、その後異常内容をメモリーに記憶して（ステップ１０６）、水道水による給水処理工程に移行し（ステップ１０７）、通常のプログラムにもとづき一連の洗濯工程を実施する。
　　【００３６】
　そして、一連の洗濯工程が終了したならば電源スイッチ３３が自動的に切られる（ステップ１０８）。
　　【００３７】
　また、次回洗濯機の使用に際しては（ステップ１０９）、電源スイッチ３３を入れると同時に再度ポンプ駆動用モータ２６ｄの異常報知をおこなう（ステップ１１０）。
　　【００３８】
　ステップ１０１において、ポンプ駆動用モータ２６ｄの電流が１アンペア以下の場合は、次にポンプ駆動用モータ電流Ｉｐが０．３アンペア以上であるか否かを検出する（ステップ１１１）。
　　【００３９】
　なお、ポンプ駆動用モータ２６ｄのスタート開始直後はまだ空気を巻き込んでいるため０．３アンペア以下となっているから、その場合はステップ１１２において、ポンプ駆動用モータ２６ｄの運転開始後２分を経過したか否かを検出し、まだ２分を経過していない場合はステップ１０３に戻る。
　　【００４０】
　そして、ステップ１１２において、ポンプ駆動用モータ２６ｄの運転開始後２分を経過してもポンプ駆動用モータ電流Ｉｐが０．３アンペア以下の場合は、浴槽内に水がないとか、ホース２７の先端を浴槽内に入れ忘れたとか、ホース２７の先端が浴槽の水面から浮き上がっているとか、吸水途中で風呂水がなくなったものとみなしてポンプ駆動用モータ２６ｄへの通電をオフし、水道水供給のための吸水電磁弁３１をオンして（ステップ１１３）、水道水による給水処理工程に移行する（ステップ１１４）。
　　【００４１】
　ステップ１１１において、ポンプ駆動用モータ２６ｄの運転開始後２分以内にポンプ駆動用モータ電流Ｉｐが０．３アンペア以上となった場合は、ステップ１１５で洗濯槽８内の水位が規定水位に達したか否かを検出し、規定水位に達している場合は洗い撹拌の工程に移行し、規定水位に達していない場合はステップ１０３に戻る。
　　【００４２】
　なお、洗濯のコースには洗い，排水，脱水，シャワーすすぎ，排水，脱水，溜めすすぎ，排水，脱水と云った標準コースと、それ以外の手造りコースとがあるが、風呂水コースを選択した場合は、標準コース，手造りコースのいずれも、「洗い」に風呂水を使用し、また「すすぎ」工程が２回以上ある場合は、最終回の「すすぎ」以外に風呂水を利用して水道水の節水効果をさらに高めることもできる。
　　【００４３】
　大量の呼び水を蓄えておかなければならない自動呼び水式ポンプを備えるものでは、その呼び水タンクの大きさからトップカバーに収納することができず、したがってトップカバー内に自動吸水ポンプを組み込んだ洗濯機が実際の製品として中々実現できなかったが、気水分離室２６ｈを有する本構成によりはじめてそれが可能になり、その結果トップカバー１の後ろ側の狭い空間に自動呼び水式ポンプ２６を備えて水道水と風呂水とを任意に切替使用可能な装置を合理的に収納した洗濯機が実現可能になった。
　　【００４４】
　ポンプ部をモータ部の長手方向端側に配置したモータ式吸水ポンプ２６は、注水部を有するトップカバー１の後ろ側に横置きに置かれるので、竪置きに置くものと違ってモータ式吸水ポンプ２６のところだけが隆起することはなく、洗濯機全体の丈を低く抑えることができる。
　　【００４５】
　ポンプランナ２６ｅの吸込み側に通じる風呂水吸水口のホース接続口が上向きになっているので、後向きに設けるものと違って風呂水吸水ホース２７の着脱がしやすく、接続した風呂水吸水ホース２７が後側に突き出ることもないので、洗濯機を家屋の壁から離さずに据えることができる。
　　【００４６】
　注水部を後ろ側中央に配置し、注水部の両隣に水道水給水用電磁弁３１とモータ式吸水ポンプ２６を振り分けて別々に離して配置することにより、トップカバー１の収納部が収納深さの浅い狭い空間になっているにもかかわらず、比較的スペース的な余裕をもって配置することができ、共用の注水部を中央部に置くことができる。
　　【００４７】
　トップカバー１に取り付けられるバックパネル２５を設け、モータ式自動吸水ポンプ２６をトップカバー１とバックパネル２５で挾持することにより、その取付作業の簡略化を図ることができる。
　　【００４８】
　モータ式自動吸水ポンプ２６を防振ゴム３２を介してトップカバー１に取り付けることにより、水揚げによって振動しようとする傾向にあるポンプ２６を極力安定的に保持し、ひいてはポンプ２６の振動が洗濯機本体側に伝播して発生する騒音を極力抑えることができる。
　　【００４９】
　モータ式自動吸水ポンプ２６の吸水口２６ａがトップカバー１の上側を向くようモータ式自動吸水ポンプ２６を配置することにより、吸水口２６ａの上部から風呂水吸水ホース２７を３６０。全方向に取り出すことができ、使い勝手の点で優れている。
　　【００５０】
　モータ式自動吸水ポンプ２６の吸水口２６ａを呼び水給水口と兼用することにより、別呼び水口や呼び水口塞ぎ用のキャップ等が不要となり、その分部品を少なくすることができる。
　　【００５１】
　モータ式自動吸水ポンプ２６の吸水口の上端をモータ式自動吸水ポンプ２６の吐出口２６ｋよりも高い位置に配置することにより、たとえポンプ室内の逆止弁２６ｊに微少水漏れが生じても呼び水が減少するようなことはない。
　　【００５２】
　ポンプ２６の運転を開始して一定時間経過後定格電流に達しない場合、ポンプモータ２６ｄへの通電をオフする制御手段を備えれば、風呂水の有無や吸水ホース２７の先端部の水面からの浮き上がり等をモータ２６ｄの電流検知で知ることができ、従来のように一定水位までの給水時間で風呂水の有無や吸水ホース先端部の水面からの浮き上がり等を検知する方式に比べてその検知を短時間でできると共に、水位検知スイッチや排水バルブ２３の故障も検知できるため、ポンプモータ２６ｄの無駄な運転時間を極力短くし、ポンプ２６の寿命を延ばすことができる。
　　【００５３】
　ポンプ２６の運転を開始して一定時間経過後定格電流に達しない場合、ポンプモータ２６ｄへの通電をオフすると共に、水道水供給のための吸水電磁弁３１をオンする制御手段を備えれば、前記効果に加えて、一連の洗濯工程を途中で中断することなく、最後まで遂行することができる。
　　【００５４】
　ポンプ２６の運転を開始して一定時間経過後定格電流に達しない場合、ポンプモータ２６ｄに通電したまま、水道水供給のための吸水電磁弁３１をオンする手段を備えれば、一連の洗濯工程を途中で中断することなく、最後まで遂行することができると共に、吸水ホース２７の先端が一旦風呂水の水面より出た後再び水面下に沈んで風呂水吸水が可能となったような場合に、再度風呂水を洗濯水として利用することができ、水道水の節水に役立つ。
　　【００５５】
　ポンプモータ２６ｄのロック電流を検知した場合、そのポンプモータ２６ｄへの通電をオフする手段を備えれば、ポンプモータロック時のモータ焼損を防止できると共に、従来ＰＴＣによりおこなわれていたポンプモータロック検知に比べてその検知を瞬時におこなうことができ、ポンプモータ２６ｄの寿命を長くすることができる。
　　【００５６】
　ポンプモータ２６ｄのロック電流を検知した場合、そのポンプモータ２６ｄへの通電をオフすると共に、水道水供給のための吸水電磁弁３１をオンする手段を備えれば、前記効果に加えて、一連の洗濯工程を途中で中断することなく、最後まで遂行することができる。
　　【００５７】
　ポンプモータ２６ｄのロック電流検知と同時に異常報知すると共に、次回洗濯機の使用時、電源スイッチ３３の「入」に際してもポンプモータ２６ｄの異常報知をおこなう手段を備えれば、前記効果に加えて、ポンプモータ２６ｄのロック状態を即使用者に知らせることができる。
　　【００５８】
　ポンプ２６のケーシング２６ｃを抗菌剤入りの合成樹脂で成形すれば、自吸のための呼び水がポンプケーシング２６ｃ内に長時間残水した状態で放置された場合であっても、その残水内に細菌が繁殖して腐敗するのを防止することができる。
　　【００５９】
　風呂水吸水ホース２７を抗菌剤入りのゴムホースまたは合成樹脂ホースとすれば、長期間繰返し使用されるホースに細菌が付着するのを防止することができる。
　　【００６０】
　風呂水使用、節水すすぎ等通常の運転と比較して節水できる工程を実施した場合はその節水量を記憶し、その積算量を表示する手段を備えれば、一定期間内にどの程度水道水が節水されたかを使用者に直覚的に知らせることができる。
　　【００６１】
　【発明の効果】
　本発明は、外枠の内側に置かれる洗濯槽、この洗濯槽の内側に回転自在に設けられる回転翼と、洗濯槽の下方に備えられ、かつ前記回転翼を回転駆動する洗濯用モータと、外枠の上側に設けられ、かつ水道水給水用電磁弁が備わるトップカバーと、風呂水吸水ホースを通じて吸い上げる風呂水を洗濯槽の上から洗濯槽内に注ぐモータ式吸水ポンプと、トップカバーの後ろ側に設けられ、かつ洗濯用の水を洗濯槽内に注ぐ注水口が形成されている注水部とを有する洗濯機であって、ポンプランナ、このポンプランナの吐出側が連通する気水分離室を兼ねる吐出室、および前記ポンプランナの吸込み側に連通する吸水室を備えるポンプ部と、ポンプランナを回転駆動するモータ部とを有し、かつポンプ部をモータ部の長手方向端側に配置しているモータ式吸水ポンプは、トップカバーの後ろ側に横置きに、かつ前記吸水室に連通するように形成される風呂水吸水口のホース接続口が前記トップカバーの上方に向かって上向きになるように配置し、前記吐出室の吐出口と前記注水口部を連通する吐出水連通路を備え、前記注水部を後ろ側中央に配置し、注水部の両隣に前記水道水給水用電磁弁と前記モータ式吸水ポンプを振り分けて配置したことを特徴とする洗濯機にある。
　　【００６２】
　この構成によれば、次のような良さがある。
　　【００６３】
（１）大量の呼び水を蓄えておかなければならない自動呼び水式ポンプを備えるものでは、その呼び水タンクの大きさからトップカバーに収納することができず、したがってトップカバー内に自動吸水ポンプを組み込んだ洗濯機が実際の製品として中々実現できなかったが、気水分離室を有する本構成によりはじめてそれが可能になり、その結果トップカバーの後ろ側の狭い空間に自動呼び水式ポンプを備えて水道水と風呂水とを任意に切替使用可能な装置を合理的に収納した洗濯機が実現可能になった。
　　【００６４】
（２）ポンプ部をモータ部の長手方向端側に配置したモータ式吸水ポンプは、注水部を有するトップカバーの後ろ側に横置きに置かれるので、竪置きに置くものと違ってモータ式吸水ポンプのところだけが隆起することはなく、洗濯機全体の丈を低く抑えることができる。
　　【００６５】
（３）ポンプランナの吸込み側に通じる風呂水吸水口のホース接続口が上向きになっているので、後向きに設けるものと違って風呂水吸水ホースの着脱がしやすく、接続した風呂水吸水ホースが後側に突き出ることもないので、洗濯機を家屋の壁から離さずに据えることができる。
　　【００６６】
（４）注水部を後ろ側中央に配置し、注水部の両隣に水道水給水用電磁弁とモータ式吸水ポンプを振り分けて別々に離して配置することにより、トップカバーの収納部が収納深さの浅い狭い空間になっているにもかかわらず、比較的スペース的な余裕をもって配置することができ、共用の注水部を中央部に置くことができる。
【図面の簡単な説明】
　【図１】
　本発明洗濯機の一実施例を示す全体的内部構造説明図である。
　【図２】
　図１に符号２５で示すバックパネルを取り除いてトップカバー１の内部構造を示した平面図である。
　【図３】
　図２のトップカバー１にバックパネル２５を取り付けてＸ−Ｘ方向から見た場合の断面図である。
　【図４】
　風呂水吸水ポンプ（モータ式自動吸水ポンプ）２６の内部構造を示す一部破断斜視図である。
　【図５】
　図１に符号１で示すトップカバーに設けられた操作表示パネルの平面図である。
　【図６】
　図１に示す洗濯機の電気回路図である。
　【図７】
　同じく図１に示す洗濯機の動作フローチャートである。
　【符号の説明】
　１…トップカバー、８…洗濯槽（洗濯兼脱水槽）、２５…バックパネル、２６…風呂水吸水ポンプ（モータ式自動吸水ポンプ）。